(57)【要約】【課題】室内の加湿と除湿とが同時に行われている場合でも、効率よく室内を加湿することができる空気調和機の提供。【解決手段】空気調和機１は、室内熱交換器１１と、加湿ユニット５０と、室内ファン１２と、制御部６０とを備えている。室内熱交換器１１は、室内空気を除湿することが可能である。加湿ユニット５０は、室内熱交換器１１を通過する空気流れにおいて、室内熱交換器１１の上流側空間Ｓ１以外の空間である放出空間Ｓ２に加湿空気を放出可能である。室内ファン１２は、室内熱交換器１１によって除湿された室内空気および加湿ユニット５０によって放出された加湿空気を室内に供給可能である。制御部６０は、室内空気の除湿と加湿空気の放出とが同時に行われるように、室内熱交換器１１と加湿ユニット５０とを制御する除湿加湿同時実行制御を行う。【選択図】図２
2010144974.tif 000002
【特許請求の範囲】
【請求項１】
室内空気を除湿することが可能な除湿手段 (１１)と、
前記除湿手段を通過する空気流れにおいて、前記除湿手段の上流側空間（Ｓ１）以外の空間である放出空間（Ｓ２）に加湿空気を放出可能な加湿手段（５０）と、
前記除湿手段によって除湿された前記室内空気および前記加湿手段によって放出された前記加湿空気を室内に供給可能な供給手段（１２）と、
前記室内空気の除湿と前記加湿空気の放出とが同時に行われるように、前記除湿手段と前記加湿手段とを制御する除湿加湿同時実行制御を行う制御部（６０）と、
を備える空気調和機（１）。
【請求項２】
前記加湿手段は、室外空気から前記加湿空気を生成可能な加湿部（５７）を有する、
請求項１に記載の空気調和機。
【請求項３】
前記放出空間は、前記除湿手段を通過する空気流れにおける前記除湿手段の下流側空間である、
請求項１または２に記載の空気調和機。
【請求項４】
前記除湿手段は、前記除湿加湿同時実行制御において蒸発器として機能する第１熱交換部（１１１ｄ）であり、
前記第１熱交換部近傍に配置されており、前記除湿加湿同時実行制御において凝縮器として機能する第２熱交換部（１１１ｃ）を更に備え、
前記放出空間は、前記第２熱交換部を通る空気流れにおける前記第２熱交換部の上流側空間である、
請求項１または２に記載の空気調和機。
【請求項５】
前記除湿手段は、前記室内に設置される室内機（２）の内部空間に配置されており、
前記内部空間は、前記放出空間を含む、
請求項１から４のいずれかに記載の空気調和機。
【請求項６】
前記室内に供給される空気の案内方向を調整可能な調整部（９）を更に備え、
前記制御部は、前記除湿加湿同時実行制御において、前記室内の空気が循環するように、前記調整部を制御する、
請求項１から５のいずれかに記載の空気調和機。
【請求項７】
前記制御部は、前記除湿加湿同時実行制御を行う前に、前記室内空気の除湿が行われずに前記加湿空気の放出が行われるように、前記除湿手段および前記加湿手段を制御する加湿実行制御を行う、
請求項１から６のいずれかに記載の空気調和機。
【請求項８】
前記制御部は、前記除湿加湿同時実行制御を行った後に、前記加湿空気の放出が行われずに前記室内空気の除湿が行われるように、前記除湿手段および前記加湿手段を制御する除湿実行制御を行う、
請求項１から７のいずれかの記載の空気調和機。
【請求項９】
前記放出空間に前記加湿空気が放出される第１状態と、前記除湿手段を通過する空気流れにおいて前記除湿手段の上流側空間に前記加湿空気が放出される第２状態とを切り換え可能な切換部（１６）を更に備える、
請求項１から８のいずれかに記載の空気調和機。
【発明の詳細な説明】
【技術分野】
【０００１】
本発明は、加湿手段と除湿手段とを備える空気調和機に関する。
【背景技術】
【０００２】
従来より、加湿手段によって室内を加湿して相対湿度を上昇させ、その後に除湿手段によって室内を除湿して相対湿度の上昇した室内の空気を凝縮することで、空気中に含まれるニオイ成分等を凝縮水とともに回収する方法が提案されている。
【０００３】
例えば、加湿機能と除湿機能とを有する加湿・除湿装置（加湿手段および除湿手段に相当）を備える揮発性有機化合物の除去装置がある（特許文献１参照）。この除去装置では、建材等に付着した揮発性有機化合物を空気中に放散させるために室内を加湿する第１工程と、第１工程において放散した揮発性有機化合物を空気とともに凝縮するために加湿された室内の空気を除湿する第２工程とが交互に複数回繰り返される。このようにして、この除去装置では、室内の揮発性有機化合物の除去を行っている。
【特許文献１】特開２００５−１２５０８５号公報
【発明の開示】
【発明が解決しようとする課題】
【０００４】
しかしながら、上述の揮発性有機化合物の除去装置では、室内が加湿される第１工程と加湿された室内の空気が除湿される第２工程とが交互に繰り返されるため、室内の揮発性有機化合物を除去するためには、多くの時間が必要となることが考えられる。そこで、室内に加湿空気を供給することで室内を加湿しながら室内空気を除湿することで室内を除湿することが考えられる。しかしながら、室内への加湿空気の供給と室内空気の除湿とが同時に行われる場合、加湿空気が室内に供給される前に除湿手段によって除湿されることで、室内を効率よく加湿できないおそれがある。
【０００５】
そこで、本発明の課題は、室内の加湿と除湿とが同時に行われている場合でも、効率よく室内を加湿することができる空気調和機を提供することにある。
【課題を解決するための手段】
【０００６】
第１発明に係る空気調和機は、除湿手段と、加湿手段と、供給手段と、制御部とを備えている。除湿手段は、室内空気を除湿することが可能である。加湿手段は、除湿手段を通過する空気流れにおいて、除湿手段の上流側空間以外の空間である放出空間に加湿空気を放出可能である。供給手段は、除湿手段によって除湿された室内空気および加湿手段によって放出された加湿空気を室内に供給可能である。制御部は、室内空気の除湿と加湿空気の放出とが同時に行われるように、除湿手段と加湿手段とを制御する除湿加湿同時実行制御を行う。
【０００７】
第１発明に係る空気調和機では、除湿手段の上流側空間以外の空間である放出空間に加湿空気が放出されている。このため、除湿加湿同時実行制御が行われている場合に、加湿空気が除湿手段の上流側空間に放出されるような空気調和機と比較して、加湿空気が除湿手段によって除湿されるおそれを減らすことができる。
【０００８】
これによって、室内の加湿と除湿とが同時に行われている場合でも、効率よく室内を加湿することができる。
【０００９】
第２発明に係る空気調和機は、第１発明の空気調和機であって、加湿手段は、室外空気から加湿空気を生成可能な加湿部を有する。このため、この空気調和機では、室外空気から加湿空気を生成することができる。
【００１０】
第３発明に係る空気調和機は、第１発明または第２発明の空気調和機であって、放出空間は、除湿手段を通過する空気流れにおける除湿手段の下流側空間である。このため、この空気調和機では、加湿空気が室内に供給される前に除湿手段によって除湿されるおそれを減らすことができる。
【００１１】
第４発明に係る空気調和機は、第１発明または第２発明の空気調和機であって、除湿加湿同時実行制御において、凝縮器として機能する第２熱交換部を更に備える。また、除湿手段は、除湿加湿同時実行制御において、蒸発器として機能する第１熱交換部である。また、第２熱交換部は、第１熱交換部近傍に配置されている。さらに、放出空間は、第２熱交換部を通る空気流れにおける第２熱交換部の上流側空間である。
【００１２】
第４発明に係る空気調和機では、除湿加湿同時実行制御において、凝縮器として機能する第２熱交換部の上流側空間に加湿空気が放出されている。このため、加湿空気が室内に供給される前に、除湿手段によって除湿されるおそれを減らすことができる。
【００１３】
第５発明に係る空気調和機は、第１発明から第４発明のいずれかの空気調和機であって、除湿手段は、室内に配置される室内機の内部空間に配置されている。また、内部空間は、放出空間を含む。このため、この空気調和機では、除湿加湿同時実行制御時において、除湿された室内空気と加湿空気とを室内機の内部空間において合流させて室内に供給することができる。
【００１４】
第６発明に係る空気調和機は、第１発明から第５発明のいずれかの空気調和機であって、室内に供給される空気の案内方向を調整可能な調整部を更に備える。また、制御部は、除湿加湿同時実行制御において、室内の空気が循環するように、調整部を制御する。このため、この空気調和機では、除湿加湿同時実行制御時に、室内の空気を循環させることができる。
【００１５】
これによって、室内の加湿および室内の除湿を効率よく行うことができる。
【００１６】
第７発明に係る空気調和機は、第１発明から第６発明のいずれかの空気調和機であって、制御部は、除湿加湿同時実行制御を行う前に、室内空気の除湿が行われずに加湿空気の放出が行われるように、除湿手段および加湿手段を制御する加湿実行制御を行う。このため、この空気調和機では、除湿加湿同時実行制御を行う前に、室内を十分に加湿することができる。
【００１７】
第８発明に係る空気調和機は、第１発明から第７発明のいずれかの空気調和機であって、制御部は、除湿加湿同時実行制御を行った後に、加湿空気の放出が行われずに室内空気の除湿が行われるように、除湿手段および加湿手段を制御する除湿制御を行う。このため、この空気調和機では、除湿加湿同時実行制御が行われた後に、室内を除湿することができる。
【００１８】
これによって、除湿加湿同時実行制御において上昇した室内の湿度を下げることができる。
【００１９】
第９発明に係る空気調和機は、第１発明から第８発明のいずれかの空気調和機であって、第１状態と第２状態とを切り換え可能な切換部を更に備える。第１状態では、放出空間に加湿空気が放出される。また、第２状態では、除湿手段を通過する空気流れにおいて、除湿手段の上流側空間に加湿空気が放出される。このため、この空気調和機では、放出空間以外の空間にも、加湿空気を放出することができる。
【発明の効果】
【００２０】
第１発明に係る空気調和機では、室内の加湿と除湿とが同時に行われている場合でも、効率よく室内を加湿することができる。
【００２１】
第２発明に係る空気調和機では、室外空気から加湿空気を生成することができる。
【００２２】
第３発明に係る空気調和機では、加湿空気が室内に供給される前に除湿手段によって除湿されるおそれを減らすことができる。
【００２３】
第４発明に係る空気調和機では、加湿空気が室内に供給される前に除湿手段によって除湿されるおそれを減らすことができる。
【００２４】
第５発明に係る空気調和機では、除湿加湿同時実行制御時において、除湿された室内空気と加湿空気とを室内機の内部空間において合流させて室内に供給することができる。
【００２５】
第６発明に係る空気調和機では、室内の加湿および室内の除湿を効率よく行うことができる。
【００２６】
第７発明に係る空気調和機では、除湿加湿同時実行制御を行う前に、室内を十分に加湿することができる。
【００２７】
第８発明に係る空気調和機では、除湿加湿同時実行制御において上昇した室内の湿度を下げることができる。
【００２８】
第９発明に係る空気調和機では、放出空間以外の空間にも、加湿空気を放出することができる。
【発明を実施するための最良の形態】
【００２９】
＜空気調和機の構成＞
本発明の一実施形態に係る空気調和機１は、図１および図２に示すように、室外機３と、室内機２とを備えている。また、この空気調和機１は、冷房運転、暖房運転、加湿運転、除湿運転および排気運転等の通常運転の他に、室内を脱臭する脱臭運転を行うことが可能である。なお、ここでいう脱臭運転とは、室内の布や建材等に染みこんだニオイ成分等を室内空気中に放散させ、空気中に放散したニオイ成分を室外に排出することが可能な運転のことである。また、室外機３は、室外熱交換器２４や室外ファン２９などを内部に収容する室外空調ユニット２０と、加湿ユニット５０とを備えている。室内機２の内部には室内熱交換器１１が収容されている。また、加湿ユニット５０と室内機２との間には、加湿ユニット５０の内部空間と室内機２の内部空間と連通させることが可能な吸排気ホース６が設けられている。吸排気ホース６は、室内機２の内部空間に配置される室内ダクト８と、室内機２の内部空間以外の空間であって主に室外空間に配置される室外ダクト４とを有する。なお、図２では、上述の室内ダクト８を簡略化して描いている。
【００３０】
また、本実施形態では、空気調和機１は、室内機２と室外機３とを備えている例を挙げて説明しているが、これに限定されず、例えば、室内機と室外機とに含まれる機能を単体で備えた空気調和機であってもよい。なお、ここでいう空気調和機には、空気清浄機が含まれる。
【００３１】
次に、室内機２の構成について説明する。
【００３２】
＜室内機の構成＞
室内機２は、室内の壁面等に設置される壁掛け型の室内機である。また、室内機２は、図２に示すように、冷媒配管を介して室外機３に接続されている。さらに、室内機２の内部空間には、図２に示すように、室内ファン１２および上述の室内熱交換器１１等が配置されている。
【００３３】
室内熱交換器１１は、長手方向両端で複数回折り返されてなる伝熱管と、伝熱管から挿通される複数のフィンとからなり、接触する空気との間で熱交換を行う。また、室内熱交換器１１は、図３に示すように、前面側熱交換器１１ａと背面側熱交換器１１ｂとを含む主熱交換器１１ｄと補助熱交換器１１ｃとを有している。前面側熱交換器１１ａと背面側熱交換器１１ｂとは、側面視において、逆Ｖ字状になるように連結して構成されている。また、補助熱交換器１１ｃは、後述する室内ファン１２によって生成される空気流れにおいて、主熱交換器１１ｄの上流側に配置されるように、前面側熱交換器１１ａに隣接して設けられている。また、補助熱交換器１１ｃと主熱交換器１１ｄとの間には、室内膨張弁１７が設けられている。このため、補助熱交換器１１ｃを凝縮器として機能させるか蒸発器として機能させるかを室内膨張弁１７によって切り換えることができる。したがって、この空気調和機１では、除湿運転において、補助熱交換器１１ｃを凝縮器として機能させ、主熱交換器１１ｄを蒸発器として機能させることで、温度の低下を防ぎながら除湿を行う再熱除湿動作を実行することができる。
【００３４】
室内ファン１２は、円筒形状に構成され、周面には回転軸方向に羽根が設けられているクロスフローファンである。室内ファン１２は、回転駆動することによって、回転軸と交わる方向に空気流を発生させる。このため、室内ファン１２は、室内の空気を室内機２内に吸い込ませるとともに、室内熱交換器１１との間で熱交換を行った後の空気を室内に吹き出させる空気流れを生成することができる。
【００３５】
また、室内機２に形成されている室内空気吹出口２ｂの近傍には、水平フラップ９が設けられている。水平フラップ９は、室内機２の長手方向に長い形状を有する板状の部材であり、室内空気吹出口２ｂから吹き出される空気を案内する。水平フラップ９は、室内機２の長手方向に平行な回転軸を有しており、回転軸を中心に回転することにより、空気の案内方向、すなわち、風向を調整する。これによって、室内から室内機２の内部空間に取り込まれた空気は、熱交換によって調和され、室内空気吹出口２ｂを通じて室内に吹き出される。
【００３６】
さらに、室内機２の内部空間には、上述のように、吸排気ホース６の一部である室内ダクト８が配置されている。また、室内ダクト８は、図３に示すように、共通ダクト１３、第１室内ダクト１４および第２室内ダクト１５を有する。共通ダクト１３は、一端が室外ダクト４に接続されており、他端が後述する通風路切り換え部１６に接続されている。
【００３７】
第１室内ダクト１４は、一端が通風路切り換え部１６と接続されている。また、第１室内ダクト１４の他端側の端部には、開口１４ａが形成されている。この開口１４ａは、室内機２の内部空間の一部に配置されている。具体的には、開口１４ａは、室内ファン１２によって空気流れが生成されている状態で、室内機２の上部に設けられている空気取込口２ａの下流側であり、かつ、室内熱交換器１１の上流側の空間Ｓ１（以下、上流側空間という）に配置されている。より具体的には、開口１４ａは、背面側熱交換器１１ｂの表面と対向するように配置されている。このため、第１室内ダクト１４を通ってきた室外空気は、図３に示すＡ３方向に流れ、背面側熱交換器１１ｂの表面に吹き出される。
【００３８】
第２室内ダクト１５は、一端が通風路切り換え部１６と接続されている。また、第２室内ダクト１５の他端側の端部には、第１室内ダクト１４と同様に、開口１５ａが形成されている。この開口１５ａは、室内機２の内部空間の一部に配置されている。具体的には、開口１５ａは、室内ファン１２によって空気流れが生成されている状態で、室内機２の下部に設けられている室内空気吹出口２ｂの上流側であり、かつ、室内ファン１２の下流側の空間Ｓ２（以下、放出空間という）に配置されている。このため、第２室内ダクト１５を通ってきた室外空気は、図３に示すＡ４方向に流れ、上流側空間Ｓ１以外の空間であって、室内ファン１２によって生成される空気流れにおいて室内熱交換器１１の下流側に位置する室内ファン１２の更に下流側の放出空間Ｓ２に吹き出される。
【００３９】
さらに、室内機２は、通風路切換ダンパを有する通風路切り換え部１６を備えている。通風路切り換え部１６は、上述のように、共通ダクト１３、第１室内ダクト１４および第２室内ダクト１５に接続されている。通風路切り換え部１６では、通風路切換ダンパを駆動させることによって、第１状態と第２状態とが切り換えられる。なお、通風路切換ダンパは、駆動モータ１６ｂ（図５参照）によって駆動される。以下、第１状態および第２状態について説明する。
【００４０】
第１状態では、共通ダクト１３と第２室内ダクト１５とが連通している状態となるように、通風路切換ダンパが駆動される。このため、通風路切り換え部１６が第１状態の場合には、室外ダクト４を通ってきた空気が、共通ダクト１３および第２室内ダクト１５を介して、放出空間Ｓ２に吹き出される。
【００４１】
第２状態では、共通ダクト１３と第１室内ダクト１４とが連通している状態となるように、通風路切換ダンパが駆動される。このため、通風路切り換え部１６が第２状態の場合には、室外ダクト４を通ってきた空気が、共通ダクト１３および第１室内ダクト１４を介して、上流側空間Ｓ１に吹き出される。
【００４２】
なお、通風路切り換え部１６が第１状態である場合には、通風路切換ダンパによって共通ダクト１３と第１室内ダクト１４との連通が遮断されている。また、通風路切り換え部１６が第２状態である場合には、通風路切換ダンパによって共通ダクト１３と第２室内ダクト１５との連通が遮断されている。
【００４３】
このような構成によって、この空気調和機１では、第１室内ダクト１４から上流側空間Ｓ１吹き出された室外空気は、室内熱交換器１１を通って熱交換されて、室内空気吹出口２ｂから室内へと吹き出される。また、第２室内ダクト１５から吹き出された室外空気は、室内熱交換器１１を通らないために熱交換されずに、室内空気吹出口２ｂから室内へと吹き出される。このため、吸排気ホース６を介して室内機２の内部空間に放出された室外空気は、熱交換によって調和され、または、熱交換されずに、室内空気吹出口２ｂから室内へと吹き出される。このとき、室内空気が室内機２の内部空間に取り込まれている場合、すなわち、空気調和機１において所定の運転が行われている場合には、放出された室外空気は、室内機２の内部空間において室内空気と合流して、室内空気吹出口２ｂから室内へと吹き出される。
【００４４】
次に、室外機３について説明する。
【００４５】
＜室外機の構成＞
室外機３は、図１および図２に示すように、下部の室外空調ユニット２０と、上部の加湿ユニット５０とから構成されている。このため、この室外機３では、室外空調ユニット２０と加湿ユニット５０との電源を一元化することができる。
【００４６】
室外空調ユニット２０内には、図２に示すように、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された室外膨張弁２５とが収容されている。室外膨張弁２５は、フィルタ２６および液閉鎖弁２７を介して液冷媒配管に接続されており、この液冷媒配管を介して補助熱交換器１１ｃの一端と接続されている。また、四路切換弁２２は、室内ガス閉鎖弁２８を介してガス冷媒配管に接続されており、このガス冷媒配管を介して主熱交換器１１ｄの一端と接続されている。
【００４７】
また、加湿ユニット５０は、図４に示すように、加湿ユニットケーシング７と、加湿ユニット本体５とを備えている。加湿ユニット５０は、室内から取り込まれた空気を室外へと排気したり、室外から取り込まれた室外空気を室内へと供給したりすることができる。また、室外空気を加湿して室内へと供給することもできる。
【００４８】
加湿ユニットケーシング７は、加湿ロータ５１、加熱装置５２、吸排気ファン５４、吸排気切り換えダンパ５３および吸着用送風装置５５等を収納している。
【００４９】
加湿ユニットケーシング７の前面には、図１、図２および図４に示すように、複数のスリット状の開口からなる吸着用空気吹き出し口７ａが設けられている。また、加湿ユニットケーシング７の背面には、吸着用空気取込口７ｂおよび吸排気口７ｃが設けられている。吸着用空気取込口７ｂは、加湿ロータ５１に水分を吸着させるために室外から取り込まれる空気が通る開口である。吸排気口７ｃは、加湿運転時または脱臭運転時に、室外から加湿ユニット５０内に取り込まれ室内機２に送られる空気が通る開口である。また、吸排気口７ｃは、排気運転時に、室内機２から取り込まれ加湿ユニット５０内から室外へと排気される空気が通る開口である。
【００５０】
加湿ユニット本体５は、図２に示すように、室外空気を室内に給気したり室内空気を室外に排気したりすることが可能な吸排気部５６と、室内へ供給される空気を加湿することが可能な加湿部５７とを備えている。吸排気部５６は、主に、吸排気切り換えダンパ５３および吸排気ファン５４を有している。また、加湿部５７は、主に、加湿ロータ５１、加熱装置５２および吸着用送風装置５５を有している。
【００５１】
以下に、吸排気ファン５４、吸排気切り換えダンパ５３、加湿ロータ５１、加熱装置５２、吸着用送風装置５５の順に説明する。
【００５２】
吸排気ファン５４は、加湿ロータ５１の側方に配置されており、室外から取り込まれ室内機２へと送られる空気の流れを生成するラジカルファン組立体である。吸排気ファン５４は、吸排気口７ｃから加湿ロータ５１および吸排気切り換えダンパ５３を経て室内へと到る空気の流れを生成して、室外から取り入れた空気を室内機２へと送る。また、吸排気ファン５４は、室内機２から取り入れた室内の空気を室外へと排出することもできる。なお、吸排気ファン５４は、後述する吸排気切り換えダンパ５３が切り換わることによって、これらの動作を切り換える。また、吸排気ファン５４は、図２に示すように、室外から取り入れた空気を室内機２へと送る場合には、加湿ロータ５１のうちの加熱装置５２と対向する部分を通過した空気を、吸排気切り換えダンパ５３を経て室外ダクト４の一部である吸排気ダクト５８へと送り出す。このため、吸排気ファン５４は、吸排気ホース６を介して室外の空気を室内機２へと供給する。なお、吸排気ホース６を通って室内機２へ送られる空気は、上述のように、室内機２の内部空間に含まれる上流側空間Ｓ１または放出空間Ｓ２に吹き出される。また、吸排気ファン５４は、室内機２から取り入れた室内の空気を室外へと排出する場合には、吸排気ホース６を通ってきた室内の空気を吸排気口７ｃから室外へと排出する。
【００５３】
吸排気切り換えダンパ５３は、吸排気ダンパと、吸排気ダンパを回転させるための吸排気ダンパ駆動用モータ５３ａ（図５参照）とを含む、回転式の空気流路切換機構である。また、吸排気切り換えダンパ５３は、吸排気ファン５４の下方に配置される。さらに、吸排気切り換えダンパ５３では、吸排気ダンパ駆動用モータ５３ａが吸排気ダンパを回転させることで、給気状態と排気状態とが切り換えられる。
【００５４】
給気状態では、吸排気ファン５４が回転することによって、加湿ユニット５０側から室内機２側に向かう空気流が生成される。例えば、吸排気切り換えダンパ５３が給気状態である場合、吸排気ファン５４から吹き出された空気は、吸排気ホース６を通って室内機２へと供給されるようになる。これにより、給気状態では、図２に示すＡ１方向に空気が流れ、室外の空気が吸排気ホース６を通って室内機２へと供給される。
【００５５】
排気状態では、吸排気ファン５４が回転することによって、室内機２側から加湿ユニット５０側に向かう空気流が生成される。例えば、吸排気切り換えダンパ５３が排気状態である場合、室内機２から取り込まれた室内の空気は、吸排気ホース６を通って室外へと排気されるようになる。これにより、排気状態では、図２に示すＡ２方向に空気が流れ、室内機２から吸排気ホース６を通ってきた空気が、吸排気口７ｃを経て室外へと排気される。
【００５６】
加湿ロータ５１は、ハニカム構造のセラミックロータであり、概ね円盤形状の外形を有している。また、加湿ロータ５１は、回転可能に設けられており、ロータ駆動用モータによって回転駆動される。さらに、加湿ロータ５１の主たる部分は、ゼオライト等の吸着剤から焼成されている。ゼオライト等の吸着剤は、接触する空気中の水分を吸着するとともに、吸着した水分を加熱されることによって脱着するという性質を有している。なお、本実施形態では、吸着剤としてゼオライトを用いているが、シリカゲルやアルミナ等を吸着剤として用いることも可能である。
【００５７】
加熱装置５２は、加湿ロータ５１の上方に位置しており、加湿ロータ５１に対向して配置されている。また、加熱装置５２は、加湿ロータ５１へ送られる空気を加熱することにより、加湿ロータ５１を加熱することができる。
【００５８】
吸着用送風装置５５は、吸着用ファンモータ５９ｂと、吸着用ファンモータ５９ｂによって回転駆動される吸着ファン５９ａとを有し、加湿ロータ５１のうちの加熱装置５２と対向しない部分を通過する空気の流れを生成する。すなわち、吸着用送風装置５５は、吸着用空気吸入口７ｂから吸い込まれ、加湿ロータ５１のうちの加熱装置５２と対向しない部分を通過し、ベルマウス５９ｃの開口を通り、吸着用空気吹き出し口７ａから室外へ排出される空気の流れを生成する。
【００５９】
このような構成によって、加湿部５７では、吸着ファン５９ａを回転駆動させることによって加湿ユニットケーシング７内に取り入れられた室外の空気が、加湿ロータ５１および吸着ファン５９ａを介して、加湿ユニットケーシング７外に排出される。このとき、室外から取り入れられた空気が、加湿ロータ５１の左側略半分の部分を通過する際に、加湿ロータ５１によって空気中に含まれている水分が吸着される。そして、加熱装置５２によって加湿ロータ５１が加熱されることで、吸排気ファン５４によって生成される空気流中に加湿ロータ５１に吸着されていた水分が離脱して加湿空気が生成される。
【００６０】
このため、加湿ユニット５０では、上述のように、吸排気切り換えダンパ５３が給気状態である場合、吸排気ファン５４から吹き出された空気が、吸排気ホース６を通って室内機２へと供給される。このとき、加湿部５７の加湿ロータ５１および吸着ファン５９ａが回転駆動しており、かつ、加熱装置５２によって加湿ロータ５１が加熱されている場合には、加湿部５７において生成された加湿空気を含む室外空気が、吸排気ホース６を通って室内機２へと供給される。このため、吸排気切り換えダンパ５３が給気状態では、図２に示すＡ１方向に空気が流れ、室外空気が加湿され、または、加湿されずに吸排気ホース６を通って室内機２へと供給されることになる。
【００６１】
また、空気調和機１は、冷房運転、暖房運転、除湿運転、加湿運転、排気運転、および、脱臭運転等の各種運転が行われるように、空気調和機１の有する各種機器を制御する制御部６０を備えている。以下に、制御部６０について説明する。
【００６２】
＜制御部＞
制御部６０は、図５に示すように、室内機２、室外空調ユニット２０および加湿ユニット５０の各種機器と接続されており、リモートコントローラ８０等を介したユーザからの指令に基づいて、冷房運転、暖房運転、除湿運転、加湿運転、排気運転、および、脱臭運転等の各運転モードに応じて各種機器の動作制御を行う。
【００６３】
また、制御部６０は、通風路切換制御部６３と、通常運転制御部６１と、脱臭運転制御部６２とを備えている。通風路切換制御部６３は、各運転モードに応じて、駆動モータ１６ｂを制御することで通風路切換ダンパを駆動させ、第１状態と第２状態とを切り換える。具体的には、空気調和機１において加湿運転または排気運転が行われる場合には、通風路切換制御部６３は、通風路切り換え部１６が第２状態となるように、駆動モータ１６ｂを制御して通風路切換ダンパを駆動させる。また、空気調和機１において脱臭運転が行われる場合には、通風路切換制御部６３は、通風路切り換え部１６が第１状態となるように、駆動モータ１６ｂを制御して通風路切換ダンパを駆動させる。このため、空気調和機１において加湿運転が行われている場合には、室外ダクト４および室内ダクト８の一部である共通ダクト１３を通ってきた室外空気は、第１室内ダクト１４を流れて上流側空間Ｓ１に吹き出される。また、空気調和機１において脱臭運転が行われている場合には、室外ダクト４および室内ダクト８の一部である共通ダクト１３を通ってきた室外空気は、第２室内ダクト１５を流れて放出空間Ｓ２に吹き出される。
【００６４】
通常運転制御部６１は、各種機器の動作制御を行うことで、空気調和機１において冷房運転、暖房運転、除湿運転、加湿運転および排気運転等を含む通常運転が行われるように、前記運転の運転制御を行う。例えば、ユーザによってリモートコントローラ８０を介して加湿運転開始指令が為された場合、通常運転制御部６１は、空気調和機１において加湿運転が行われるように、圧縮機２１等の各種機器の動作制御を行う。
【００６５】
また、ユーザによってリモートコントローラ８０を介して除湿運転開始指令が為された場合、通常運転制御部６１は、空気調和機１において除湿運転が行われるように、圧縮機２１等の各種機器の動作制御を行う。また、除湿運転における各種機器の動作制御には、除湿動作が含まれる。除湿運転における除湿動作には、通常除湿動作と再熱除湿動作とが含まれる。通常除湿動作とは、通常運転制御部６１によって、補助熱交換器１１ｃおよび主熱交換器１１ｄが蒸発器として機能するように各種機器が制御される動作のことである。また、再熱除湿動作とは、通常運転制御部６１によって、補助熱交換器１１ｃが凝縮器として機能し、かつ、主熱交換器１１ｄが蒸発器として機能するように各種機器が制御される動作のことである。なお、再熱除湿動作および通常除湿動作については、後に説明する。
【００６６】
脱臭運転制御部６２は、空気調和機１において脱臭運転が行われるように、各種機器の動作制御を行う。また、脱臭運転制御部６２は、脱臭運転において、加湿実行制御、除湿加湿同時実行制御、除湿実行制御を行う。なお、脱臭運転制御部６２は、脱臭運転において、加湿実行制御、除湿加湿同時実行制御、除湿実行制御の順に各制御を行う。
【００６７】
加湿実行制御では、脱臭運転制御部６２が、水平フラップ９の傾斜角度が所定角度となるようにフラップ駆動モータ９ａの動作制御を行う。また、脱臭運転制御部６２は、室内ファン１２が所定風量となるように、室内ファン１２の回転を制御する。
【００６８】
また、脱臭運転制御部６２は、加湿実行制御において、室内湿度センサ９０によって検知される室内湿度値が目標湿度（例えば、６０％）値以上となるように、給気動作を行う。また、脱臭運転制御部６２は、外気温度サーミスタ９１によって検知される外気温度値に基づいて、給気動作における加湿状態と換気状態とが切り換わるように、加湿ユニット５０の各種機器を制御する。具体的には、脱臭運転制御部６２は、加湿実行制御において、外気温度サーミスタ９１において検知された外気温度値が所定の第１温度（例えば、３０℃）値以上であると判断した場合、加湿ユニット５０の加湿部５７において積極的に加湿空気が生成されないように、加湿部５７の駆動を停止させる制御を行う。このため、加湿実行制御において、外気温度値が所定の第１温度値以上である場合には、加湿部５７の加湿ロータ５１が加熱装置５２によって加熱される室外空気の積極的な加湿空気の生成は行われず、吸排気口７ｃから取り入れられた室外の空気が加湿ロータ５１および吸排気切り換えダンパ５３を経て吸排気ホース６を通って室内機２へと供給される換気状態での給気動作、すなわち、換気給気動作が行われる。
【００６９】
また、脱臭運転制御部６２は、加湿実行制御において、外気温度サーミスタ９１において検知された外気温度値が所定の第１温度（例えば、３０℃）値未満であると判断した場合、加湿ユニット５０の加湿部５７において積極的に加湿空気が生成されるように、加湿部５７を駆動させる制御を行う。このため、加湿実行制御において、外気温度値が所定の第１温度値未満である場合には、加湿部５７の加湿ロータ５１および吸着ファン５９ａが回転駆動し、かつ、加熱装置５２によって加湿ロータ５１が加熱されることで、加湿部５７において生成された加湿空気を含む室外空気が、吸排気ホース６を通って室内機２へと供給される加湿状態での給気動作、すなわち、加湿給気動作が行われる。
【００７０】
このように、脱臭運転制御部６２は、脱臭運転の加湿実行制御において、外気温度が所定温度以上の場合には、加湿部５７による積極的な加湿空気の生成が行われないように加湿ユニット５０の各種機器を制御し、外気温度が所定温度未満の場合には加湿部５７による積極的な加湿空気の生成が行われるように加湿ユニット５０の各種機器を制御する。
【００７１】
なお、本実施形態の空気調和機１は、外気温度が３０℃以上ある場合には、出現率約８５％で３０℃６０％相当の絶対湿度があることが期待されるような、高温多湿気候を前提としている。このため、例えば、高温多湿以外の気候に適用する場合には、脱臭運転制御部は、外気温度値ではなく、例えば、室内湿度センサの検出する室内湿度値に基づいて、加湿状態と換気状態との切り換え行う。また、本実施形態では、脱臭運転における給気動作において、室外温度に基づいて加湿状態と換気状態とに状態を切り換えているが、脱臭効果を向上させるために、脱臭運転の給気動作において、換気状態の給気動作は行われずに、常に加湿状態の給気動作が行われてもよい。
【００７２】
また、室内温度サーミスタ９２によって検知される室内温度値が所定の第２温度値未満である場合、脱臭運転制御部６２は、暖房運転時に行われる暖房動作が必要であると判断し、暖房動作が行われるように各種機器を制御する。なお、ここでいう暖房動作とは、通常運転制御部６１または脱臭運転制御部６２が、四路切換弁２２を図２に示す点線の位置とし、室外膨張弁２５を絞り、室内膨張弁１７を全開にして、圧縮機２１を起動する。このため、暖房動作が行われると、圧縮機２１から吐出される高圧冷媒は、室内熱交換器１１で凝縮した後、室外膨張弁２５で減圧されて、室外熱交換器２４に流入する。そして、室外熱交換器２４で蒸発した後、四路切換弁２２、アキュムレータ２３を介して圧縮機２１に戻る。このとき、室内熱交換器１１において冷媒が凝縮するため、室内空気は暖められる。
【００７３】
また、室内温度値が所定の第２温度値以上である場合、脱臭運転制御部６２は、暖房動作が必要ではないと判断し、圧縮機２１等が駆動している場合には圧縮機２１等の各種機器の駆動を停止させる制御を行い、また、圧縮機２１等が駆動していない場合には圧縮機２１等を駆動させる制御を行わない。
【００７４】
このため、脱臭運転制御部６２は、加湿実行制御において、室内温度値に基づいて、加湿給気動作のみが行われ暖房動作が行われない加湿単独状態、または、加湿給気動作と暖房動作とが同時に行われる加湿暖房状態となるように、各種機器を制御する。
【００７５】
なお、本実施形態では、加湿実行制御において、加湿単独状態、または、暖房加湿状態となるように各種機器が制御されているが、例えば、室内温度値が所定の第２温度値以上である場合には、冷房動作と加湿給気動作または換気給気動作とが行われるように各種機器が制御されてもよい。また、ここでいう冷房動作とは、四路切換弁が図２に示す実線の位置に切り換えられ、室外膨張弁が所定の開度に絞られ、室内膨張弁が全開にされて、圧縮機が起動される。このため、冷房動作が行われると、圧縮機から吐出される高圧冷媒は、室外熱交換器で凝縮した後、室外膨張弁で減圧されて、補助熱交換器に流入する。そして補助熱交換器で蒸発し、室内膨張弁を介して主熱交換器で蒸発した後、四路切換弁、アキュムレータを介して圧縮機に戻る。このとき、補助熱交換器および主熱交換器において冷媒が蒸発するため、室内空気は冷却される。
【００７６】
除湿加湿同時実行制御では、脱臭運転制御部６２は、室内ファン１２が加湿実行制御時の所定風量となるように、室内ファン１２の回転を制御する。また、脱臭運転制御部６２は、フラップ駆動モータ９ａの動作を制御して水平フラップ９の傾斜角度を調整することで、室内空気が循環するように、室内機２内から室内空気吹出口２ｂを介して室内に吹き出される空気の風向を調整する。
【００７７】
さらに、脱臭運転制御部６２は、加湿実行制御終了時の室内温度値を目標温度として除湿加湿同時実行制御における除湿動作が行われるように、圧縮機２１等の各種機器を制御する。なお、ここでいう除湿動作とは、室内空気を除湿するための動作のことである。
【００７８】
また、除湿加湿同時実行制御における除湿動作には、脱臭運転制御部６２によって、補助熱交換器１１ｃおよび主熱交換器１１ｄが蒸発器として機能するように各種機器が制御される通常除湿動作と、補助熱交換器１１ｃが凝縮器として機能し、かつ、主熱交換器１１ｄが蒸発器として機能するように各種機器が制御される再熱除動作とが含まれる。脱臭運転制御部６２は、加湿実行制御終了時の室内温度値に基づいて、通常除湿動作または再熱除湿動作のいずれかの除湿動作を行う。具体的には、脱臭運転制御部６２は、目標温度が所定の第３温度（例えば、２０℃）値未満の場合には、再熱除湿動作が必要であると判断し、再熱除湿動作を行う。再熱除湿動作では、脱臭運転制御部６２が、四路切換弁２２を図２に示す実線の位置とし、室外膨張弁２５を全開にし、室内膨張弁１７を絞って圧縮機２１を起動する各種機器の制御動作をいう。このため、再熱除湿動作が行われると、圧縮機２１から吐出される高圧冷媒は、室外熱交換器２４、室外膨張弁２５を介して補助熱交換器１１ｃに流入し、補助熱交換器１１ｃで凝縮した後、室内膨張弁１７で減圧される。減圧された低圧冷媒は、主熱交換器１１ｄで蒸発した後、四路切換弁２２、アキュムレータ２３を介して圧縮機２１に戻る。このとき、補助熱交換器１１ｃでは、冷媒が凝縮するため、室内空気は加熱され、主熱交換器１１ｄでは、冷媒が蒸発するため、室内空気は冷却、除湿される。
【００７９】
また、脱臭運転制御部６２は、目標温度が所定の第３温度（例えば、２０℃）値以上の場合には、通常除湿動作が必要であると判断し、通常除湿動作を行う。通常除湿動作では、脱臭運転制御部６２が、四路切換弁２２を図２に示す実線の位置とし、室外膨張弁２５を絞り、室内膨張弁１７を全開にして、圧縮機２１を起動する各種機器の制御動作をいう。このため、通常除湿動作の除湿動作が行われると、圧縮機２１から吐出される高圧冷媒は、室外熱交換器２４で凝縮した後、室外膨張弁２５で減圧されて、補助熱交換器１１ｃに流入する。そして、補助熱交換器１１ｃで蒸発し、室内膨張弁１７を介して主熱交換器１１ｄで蒸発した後、四路切換弁２２、アキュムレータ２３を介して圧縮機２１に戻る。このとき、補助熱交換器１１ｃおよび主熱交換器１１ｄにおいて冷媒が蒸発するため、室内空気は冷却、除湿される。なお、脱臭運転の除湿加湿同時実行制御では、脱臭運転制御部６２によって、補助熱交換器１１ｃおよび主熱交換器１１ｄが同時に凝縮器として機能するように、各種機器が制御されることはない。
【００８０】
さらに、脱臭運転制御部６２は、除湿加湿同時実行制御において、上述の除湿動作に加えて給気動作を行う。また、脱臭運転制御部６２は、外気温度サーミスタ９１によって検知される外気温度値に基づいて、給気動作における加湿状態と換気状態とが切り換わるように、加湿ユニット５０の各種機器を制御する。具体的には、脱臭運転制御部６２は、室外温度値が所定の第４温度（例えば、２４℃）値未満である場合には、加湿部５７によって積極的に生成された加湿空気が室内に供給される加湿状態での給気動作、すなわち、加湿給気動作を行う。また、脱臭運転制御部６２は、室外温度値が所定の第４温度（例えば、２４℃）値以上である場合には、加湿部５７によって積極的に加湿空気が生成されていない室外空気が室内に供給される換気状態での給気動作、すなわち、換気給気動作を行う。なお、本実施形態では、上述のように高温多湿の気候を前提としているため、除湿加湿同時実行制御において換気給気動作が行われる場合であっても、室内空気よりも水分含有量の多い室外空気が室内機２の内部空間に放出される。
【００８１】
このため、脱臭運転の除湿加湿同時実行制御では、脱臭運転制御部６２によって、除湿動作と給気動作とが同時に実行される。例えば、除湿加湿同時実行制御において、再熱除湿動作と加湿給気動作とが同時に実行される場合、室内機２内には、加湿部５７によって加湿された加湿空気を含む室外空気が、第２室内ダクト１５の端部に設けられている開口１５ａから吹き出す。第２室内ダクト１５の開口１５ａは、室内熱交換器１１を通る空気流の室内熱交換器１１より下流側に配置されている。このため、室外空気は、室内から取り込まれ凝縮器として機能している補助熱交換器１１ｃを通る際に加熱され、または、蒸発器として機能している主熱交換器１１ｄを通る際に冷却されて除湿された空気と放出空間Ｓ２において混合されて、室内空気吹出口２ｂから吹き出し、室内へと供給される。
【００８２】
また、例えば、除湿加湿同時実行制御において、通常除湿動作と換気給気動作とが同時に実行される場合、室内機２では、加湿部５７おいて積極的に加湿されていない室外空気が、第２室内ダクト１５の端部に設けられている開口１５ａから吹き出す。第２室内ダクト１５の開口１５ａは、室内熱交換器１１を通る空気流の室内熱交換器１１より下流側に配置されている。このため、室外空気は、室内から取り込まれ蒸発器として機能している補助熱交換器１１ｃおよび主熱交換器１１ｄを通る際に冷却されて除湿された空気と放出空間Ｓ２において混合されて、室内空気吹出口２ｂから吹き出し、室内へと供給される。
【００８３】
除湿実行制御では、脱臭運転制御部６２が、水平フラップ９の傾斜角度が加湿実行制御時の所定角度を維持するようにフラップ駆動モータ９ａの動作制御を行う。また、除湿実行制御では、脱臭運転制御部６２は、室内ファン１２が除湿加湿同時実行制御時の所定風量となるように、室内ファン１２の回転を制御する。さらに、除湿実行制御では、脱臭運転制御部６２は、室外空気が室内機２に供給されないように、加湿ユニット５０の駆動を停止させる制御を行う。
【００８４】
また、除湿実行制御では、脱臭運転制御部６２は、除湿動作を行う。なお、本実施形態では、除湿実行制御における除湿動作は、除湿運転における通常除湿動作と同様の動作であり、除湿加湿同時実行制御における通常除湿動作と同様の動作である。
【００８５】
また、脱臭運転制御部６２は、リモートコントローラ８０等によってユーザによって予め設定されている脱臭運転の実行時間に基づいて、加湿実行制御、除湿加湿同時実行制御および除湿実行制御の各制御が実行される時間を決定する。
【００８６】
さらに、脱臭運転は、リモートコントローラ８０等を介したユーザからの脱臭運転開始指令が為された場合に行われる運転である。具体的には、リモートコントローラ８０等を介してユーザによって送信された脱臭運転開始指令を制御部６０が受信した場合に、脱臭運転制御部６２が各種機器を制御することによって、空気調和機１における脱臭運転が開始される。したがって、空気調和機１の運転が停止している場合、または、空気調和機１において通常運転が行われている場合でも、ユーザから脱臭運転開始指令が為されると、空気調和機１において脱臭運転が開始される。
【００８７】
また、脱臭運転は、リモートコントローラ８０等を介してユーザから脱臭運転停止指令が為された場合、運転が開始されてから実行時間が経過した場合、または、運転実行中にユーザからの他の運転（例えば、冷房運転）の開始指令が為された場合に、運転が停止される。なお、ユーザからの脱臭運転停止指令が為された場合には、例えば、リモートコントローラ８０に設けられている運転停止ボタンがユーザによって押された場合、および、室内機２に設けられている運転停止スイッチがユーザによって押された場合等が含まれる。また、運転が開始されてから実行時間が経過した場合とは、脱臭運転開始前にユーザによって設定されていた脱臭運転実行時間が経過して正常に運転を終了した場合、すなわち、各制御の実行時間に基づいて、加湿実行制御、除湿加湿同時実行制御、および、除湿実行制御が実行された場合のことである。
【００８８】
＜脱臭運転制御部の制御動作＞
次に、脱臭運転制御部６２の制御動作について説明する。なお、以下には、ユーザによって脱臭運転の実行時間が５時間に設定されたため、脱臭運転制御部６２によって加湿実行制御の実行時間が３時間に決定され、除湿加湿同時実行制御の実行時間が１時間３０分に決定され、除湿実行制御の実行時間が３０分に決定された場合を例として説明する。また、以下の説明は、ユーザから脱臭運転開始指令が送信される以外には、他のいかなる制御指令も送信されていない場合、すなわち、正常に脱臭運転を終了した場合の例である。
【００８９】
ユーザからリモートコントローラ８０を介して為された脱臭運転開始指令を制御部６０が受信した場合、脱臭運転制御部６２は、各種機器を制御することで、空気調和機１において脱臭運転を開始させる。まず、通風路切換制御部６３は、通風路切り換え部が第１状態となるように、通風路切換ダンパの駆動を制御する。また、脱臭運転制御部６２は、脱臭運転開始指令が為された時の室内温度値および室外温度値に基づいて、加湿状態の給気動作を単独で行う（加湿単独状態）か、もしくは、加湿状態の給気動作と同時に暖房動作を行うか（加湿暖房状態）を判断し、判断された状態となるように各種機器を制御する。これによって、空気調和機１における脱臭運転の加湿実行制御が行われる。
【００９０】
そして、脱臭運転の加湿実行制御が実行されてから３時間が経過すると、脱臭運転制御部６２は、除湿動作と給気動作とが同時に実行されるように、除湿加湿同時実行制御を行う。このとき、脱臭運転制御部６２は、加湿実行制御が実行されてから３時間経過した時の室内温度値に基づいて、除湿加湿同時実行制御において、再熱除湿動作、または、通常除湿動作のうちのいずれの除湿動作を行うかを判断する。さらに、脱臭運転制御部６２は、加湿実行制御が実行されてから３時間経過した時の外気温度値に基づいて、除湿加湿同時実行制御において、加湿状態の給気動作（加湿給気動作）または換気状態の給気動作（換気給気動作）のうちのいずれの給気動作を行うかを判断する。そして、脱臭運転制御部６２が判断された除湿動作と判断された給気動作とを同時に実行することで、空気調和機１における脱臭運転の除湿加湿同時実行制御が実行される。
【００９１】
また、除湿加湿同時実行制御が実行されてから１時間３０分が経過すると、脱臭運転制御部６２は、除湿動作のみが行われるように、給気動作を停止し、かつ、除湿動作を行う除湿実行制御を行う。そして、除湿実行制御が実行されてから３０分が経過すると、脱臭運転制御部６２は、除湿動作を停止させ、空気調和機１における脱臭運転を停止させる。これによって、脱臭運転が終了する。
【００９２】
このようにして、空気調和機１において脱臭運転が行われる。なお、脱臭運転の実行時間が上記の例のように５時間に設定された場合には、脱臭運転において各制御が実行されることで、以下のような効果が期待できる。また、脱臭運転の実行時間が５時間以上に設定された場合には、脱臭運転における効果は更に向上する可能性がある。
【００９３】
加湿実行制御が開始されてから１時間で、給気動作によって室内の湿度を上昇させる。また、加湿実行制御が開始されてから１時間から３時間で、給気動作によって室内を高湿度に維持しつつ、室内の布等に染みこんだニオイ成分を空気中に放出させる。
【００９４】
加湿実行制御終了後に除湿加湿同時実行制御が開始されることで、除湿動作によって室内のニオイ成分を室内熱交換器１１の結露水に溶かして回収しドレンとして排出しつつ、給気動作によって室内の湿度を上昇させることで室内のニオイ成分の回収効率を向上させる。
【００９５】
除湿加湿同時実行制御終了後に除湿実行制御が開始されることで、加湿実行制御および除湿加湿同時実行制御において室内湿度が高くなっていた場合でも、除湿動作によって室内の湿度を低下させる。
【００９６】
また、室内機２の上部に設けられている空気取込口２ａと室内熱交換器１１との間には、空気清浄フィルタ（図示せず）が配置されており、空気取込口２ａから室内機２内に取り込まれた空気は、空気清浄フィルタを介して室内熱交換器１１に送られる。このため、脱臭運転では、除湿加湿同時実行制御の除湿動作によって室内空気中のニオイ成分が回収される他に、空気清浄フィルタにニオイ成分が吸着されることで、室内のニオイ成分の除去が行われている。
【００９７】
＜特徴＞
（１）
上記実施形態では、除湿加湿同時実行制御において加湿給気動作が行われている場合には、室内ファン１２によって空気流れが生成されている状態で、室内熱交換器１１の上流側の空間である上流側空間Ｓ１以外の空間である放出空間Ｓ２に、加湿された室外空気が放出される。このため、除湿加湿同時実行制御が行われている場合にも加湿空気を含む室外空気が上流側空間Ｓ１に放出されるような空気調和機と比較して、加湿空気を含む室外空気が室内熱交換器１１によって除湿されるおそれを減らすことができる。
【００９８】
これによって、室内の加湿と除湿とが同時に行われている場合でも、効率よく室内を加湿することができている。
【００９９】
また、除湿加湿同時実行制御において室内を効率よく加湿し、高湿度となった室内の空気を除湿することができるため、加湿と除湿とが繰り返されるような従来の空気調和機と比較して、効率よく室内のニオイ成分および室内の繊維製品等に付着したニオイ成分の脱臭を行うことができる。したがって、脱臭運転に必要な時間を短くすることができる。さらに、脱臭運転において、省エネルギーを実現することができる。
【０１００】
（２）
上記実施形態では、加湿部５７によって室外空気から加湿空気が生成される。このため、室内に加湿部５７において生成した加湿空気を供給することができる。
【０１０１】
また、上記実施形態では、除湿加湿同時実行制御において、室外温度値に基づいて、加湿部５７において積極的に加湿空気を生成するか否かを決定している。このため、加湿部５７において加湿空気を生成する必要のないような場合には、加湿部５７を稼働させない。したがって、常に加湿部が稼働している場合と比較して、省エネルギーを実現することができる。
【０１０２】
（３）
上記実施形態では、室内ファン１２によって生成される空気流れにおいて、室内熱交換器１１の下流側に位置する室内ファン１２の更に下流側の空間を放出空間Ｓ２としている。このため、脱臭運転において、加湿空気を含む室外空気が室内に供給される前に室内熱交換器１１によって除湿されるおそれを減らすことができている。
【０１０３】
（４）
上記実施形態では、室内熱交換器１１および室内ダクト８は、室内機２の内部空間に配置されている。このため、除湿加湿同時実行制御が行われた場合、室内熱交換器１１を通過して除湿された室内空気と、放出空間Ｓ２に放出された加湿空気を含む室外空気とを室内機２の内部空間のうちの放出空間Ｓ２付近において合流させて室内に供給することができる。
【０１０４】
（５）
上記実施形態では、除湿加湿同時実行制御が実行されている場合には、室内空気が循環するように、フラップ駆動モータ９ａの動作制御が行われている。このため、脱臭運転における除湿加湿同時実行制御において、室内の空気を循環させることができる。
【０１０５】
これによって、室内の加湿と除湿とを効率よく行うことができている。
【０１０６】
（６）
上記実施形態では、脱臭運転において、除湿加湿同時実行制御が行われる前に、加湿実行制御が行われている。加湿実行制御では、加湿単独状態、または、加湿暖房状態となるように、各種機器が制御される。このため、この空気調和機では、除湿加湿同時実行制御を行う前に、室内を十分に加湿することができている。
【０１０７】
（７）
上記実施形態では、脱臭運転において、除湿加湿同時実行制御が行われた後に、除湿実行制御が行われている。除湿実行制御では、給気動作は行われず、通常除湿動作、または、再熱除湿動作が行われる。このため、除湿加湿同時実行制御が行われた後に、室内を除湿することができる。
【０１０８】
これによって、除湿加湿同時実行制御において上昇した室内の湿度を下げることができている。
【０１０９】
（８）
上記実施形態では、室外空気が放出空間Ｓ２または上流側空間Ｓ１に放出されるように、通風路切換ダンパが切り換えられている。また、空気調和機１において加湿運転が行われる場合には、室外空気は、第１室内ダクト１４を流れて上流側空間Ｓ１に吹き出される。さらに、空気調和機１において脱臭運転が行われている場合には、室外空気は、第２室内ダクト１５を流れて放出空間Ｓ２に吹き出される。このため、加湿運転時には、室外空気が室内空気と共に室内熱交換器１１を通過するため、熱交換された空気を室内に供給することができる。
【０１１０】
＜変形例＞
（Ａ）
上記実施形態では、脱臭運転が行われる場合には、通風路切換制御部６３によって、第１状態となるように、通風路切換ダンパの駆動が制御される。このため、空気調和機１において脱臭運転が行われている場合には、室外ダクト４および共通ダクト１３を通ってきた室外空気は、第２室内ダクト１５を流れて放出空間Ｓ２に吹き出される。
【０１１１】
これに代えて、脱臭運転において除湿加湿同時実行制御が行われている場合にのみ、通風路切換制御部によって、第１状態となるように、通風路切換ダンパの駆動が制御されてもよい。すなわち、脱臭運転において加湿実行制御が実行されている場合には、通風路切換制御部によって第１状態に切り換えられないため、室外ダクトおよび共通ダクトを通ってきた室外空気は、第１室内ダクトを流れて上流側空間Ｓ１に吹き出される。
【０１１２】
また、冷房動作と給気動作とが同時に行われるような場合に、通風路切換部が第１状態となるように、通風路切換ダンパが切り換えられてもよい。
【０１１３】
このように、室外空気を室内に供給する場合に、室外空気を蒸発器として機能している室内熱交換器を通さないことで、室外空気が除湿されるおそれを減らすことができる。
【０１１４】
これによって、室内を効率よく加湿することができる。
【０１１５】
（Ｂ）
上記実施形態では、放出空間Ｓ２は室内機２の内部空間に含まれているため、第２室内ダクト１５を通ってきた室外空気は、室内機２の内部空間に吹き出される。
【０１１６】
これに代えて、放出空間が、室内空間のうちの室内機の内部空間以外の空間であってもよい。このように、放出空間を室内機の内部空間以外の室内空間とすることで、室内機の内部空間に配置されている室内熱交換器によって室外空気が除湿されるおそれを減らすことができる。
【０１１７】
また、放出空間を、室内機の内部空間以外の室内空間とする場合には、吸排気ホースが加熱されてもよい。このように、吸排気ホースが加熱されることで、吸排気ホース内部を流れる室外空気の温度を上げることができる。したがって、室外の温度が低い場合であっても、温度の低い室外空気が室内に供給されるおそれを減らすことができる。
【０１１８】
（Ｃ）
上記実施形態では、放出空間Ｓ２とは、室内機２の内部空間の一部の空間であって、室内ファン１２によって生成される空気流れにおいて、室内熱交換器１１の下流側に位置する室内ファン１２の更に下流側の空間のことである。
【０１１９】
これに代えて、放出空間が、再熱除湿時に凝縮器として機能する室内熱交換器の空気流れにおける上流側の空間であってもよい。
【０１２０】
例えば、図６に示すように、再熱除湿時に蒸発器として機能する第１熱交換部１１１ｄと、再熱除湿時に凝縮器として機能する第２熱交換部１１１ｃとを有する室内熱交換器１１１の場合には、第１ダクトの端部の開口１１４ａが第１熱交換部１１１ｄの表面と対向する位置に配置され、第２ダクトの端部の開口１１５ａが第２熱交換部１１１ｃの表面と対向する位置に配置される。すなわち、放出空間Ｓ２が、室内ファン１１２によって生成される空気流れにおいて、第２熱交換部１１１ｃの上流側の空間となる。このように、第２熱交換部１１１ｃの上流側空間が放出空間Ｓ２となるような空気調和機では、除湿加湿同時実行制御において再熱除湿動作が行われる場合には、室外空気が除湿されるおそれを減らすことができる。
【産業上の利用可能性】
【０１２１】
本発明は、室内の加湿と除湿とが同時に行われている場合でも、効率よく室内を加湿することができるため、空気調和機への適用が有効である。
【図面の簡単な説明】
【０１２２】
【図１】本発明の実施形態に係る空気調和機の正面図。
【図２】本発明の実施形態に係る空気調和機の概略冷媒回路図。
【図３】室内機の概略断面図。
【図４】室外機の分解斜視図。
【図５】本発明の実施形態に係る空気調和機の備える制御部の制御ブロック図。
【図６】変形例（Ｃ）における室内機の概略断面図。
【符号の説明】
【０１２３】
１      空気調和機
２      室内機
９      水平フラップ（調整部）
１１      室内熱交換器（除湿手段）
１２      室内ファン（供給手段）
１６      通風路切り換え部（切換部）
５０      加湿ユニット（加湿手段）
５７      加湿部
６０      制御部
１１１ｄ    第１熱交換部
１１１ｃ    第２熱交換部
Ｓ１      上流側空間
Ｓ２      放出空間
【図１】
2010144974.tif 000003
【図２】
2010144974.tif 000004
【図３】
2010144974.tif 000005
【図４】
2010144974.tif 000006
【図５】
2010144974.tif 000007
【図６】
2010144974.tif 000008